(57)【要約】【課題】  通信機能およびＷｅｂサーバ機能を有する撮像装置において、当該Ｗｅｂサーバと通信端末との通信接続に係る諸問題を解決して、快適な通信環境を実現できるようにする。【解決手段】  通信機能およびＷｅｂサーバ機能を有し、通信網１２を経由して接続された通信端末１３に保存されている画像を閲覧したり、画像を撮影したりすることが可能な撮像装置１１であって、Ｗｅｂサーバが起動したときに、当該ＷｅｂサーバのＵＲＬをメールで通信端末１３へ通知するＷｅｂサーバ起動通知手段と、当該メールを受信した通信端末１３が前記ＵＲＬにしたがった処理により、Ｗｅｂサーバとの接続をするための接続手段とを備える。【選択図】  図１
2005235012.tif 000002
【特許請求の範囲】
【請求項１】
通信機能およびＷｅｂサーバ機能を有し、通信網を経由して接続された通信端末に保存されている画像を閲覧したり、画像を撮影したりすることが可能な撮像装置であって、
前記Ｗｅｂサーバが起動したときに、当該ＷｅｂサーバのＵＲＬをメールで前記通信端末へ通知するＷｅｂサーバ起動通知手段と、
前記メールを受信した通信端末が前記ＵＲＬにしたがった処理により、前記Ｗｅｂサーバとの接続をするための接続手段と
を備えることを特徴とする撮像装置。
【請求項２】
前記Ｗｅｂサーバが起動するときに、前記Ｗｅｂサーバへ接続するためのパスワードを生成し、生成したパスワードを前記メールに付加することを特徴とする請求項１に記載の撮像装置。
【請求項３】
前記通信端末からの着信を認証して、当該認証が許可された場合に前記Ｗｅｂサーバを起動するＷｅｂサーバ起動手段を更に備えることを特徴とする請求項１又は２に記載の撮像装置。
【請求項４】
前記通信端末からの着信の認証を、発信者番号により行うことを特徴とする請求項３に記載の撮像装置。
【請求項５】
前記通信端末からの着信の認証を、サブアドレスにより行うことを特徴とする請求項３又は４に記載の撮像装置。
【請求項６】
通信機能およびＷｅｂサーバ機能を有し、通信網を経由して接続された通信端末に保存されている画像を閲覧したり、画像を撮影したりすることが可能な撮像装置における接続方法であって、
前記Ｗｅｂサーバが起動したときに、当該ＷｅｂサーバのＵＲＬをメールで前記通信端末へ通知するＷｅｂサーバ起動通知工程と、
前記メールを受信した通信端末が前記ＵＲＬにしたがった処理により、前記Ｗｅｂサーバとの接続を行う接続工程と
を備えることを特徴とする接続方法。
【発明の詳細な説明】
【技術分野】
【０００１】
本発明は、通信機能付き撮像装置及び当該撮像装置における接続方法に関する。
【背景技術】
【０００２】
従来、通信機能付き撮像装置がＷｅｂサーバとして動作する例として、特許文献１で提案されている従来技術がある。また、通信端末から着信を受けたときに通信端末の認証を行い、認証が許可されると画像を送信する、あるいは画像を送信可能な状態にする例として、特許文献２，特許文献３で提案されている従来技術がある。
【０００３】
【特許文献１】特開２００３−６９９８８号公報
【特許文献２】特開２００２−２９０６１４号公報
【特許文献３】特開２００２−３５４３９２号公報
【発明の開示】
【発明が解決しようとする課題】
【０００４】
上述した従来技術において、通信機能付き撮像装置にＷｅｂサーバ機能があり、通信端末から通信網経由で接続して撮像装置に保存されている画像を閲覧することができる場合、通信端末から通信機能付き撮像装置へ接続するときにＷｅｂサーバ機能が起動しているか否かを接続を試みる前に知ることができないという問題がある。また、通信端末から通信機能付き撮像装置のＷｅｂサーバへの接続を保証するためには、Ｗｅｂサーバ機能が常時起動していなければならないという問題がある。
【０００５】
更に、通信端末からの着信を認証して画像を送信あるいは送信可能とする従来技術においては、画像送信先が画像を受信できる状態であることが確実でなければ画像を送信できないという問題、あるいは画像の送信が可能である旨を画像送信先へ通知する手段がないという問題がある。
【０００６】
本発明は上述の問題点にかんがみてなされたものであり、通信機能およびＷｅｂサーバ機能を有する撮像装置において、当該Ｗｅｂサーバと通信端末との通信接続に係る諸問題を解決して、快適な通信環境を実現する撮像装置およびその通知方法を提供することを目的とする。
【課題を解決するための手段】
【０００７】
上記課題を解決するために本発明は、通信機能およびＷｅｂサーバ機能を有し、通信網を経由して接続された通信端末に保存されている画像を閲覧したり、画像を撮影したりすることが可能な撮像装置であって、前記Ｗｅｂサーバが起動したときに、当該ＷｅｂサーバのＵＲＬをメールで前記通信端末へ通知するＷｅｂサーバ起動通知手段と、前記メールを受信した通信端末が前記ＵＲＬにしたがった処理により、前記Ｗｅｂサーバとの接続をするための接続手段とを備えることを特徴とする撮像装置等を提供する。
【発明の効果】
【０００８】
本発明によれば、Ｗｅｂサーバ機能を常時起動しておく必要を回避することができ、通信コストと消費電力を低減させることができる。また、通信端末と接続する前にＷｅｂサーバ機能が起動していることを当該通信端末のユーザが知ることができる。さらに、Ｗｅｂサーバの起動を通知するメールにＵＲＬが添付されているため、通信端末のユーザがＷｅｂサーバへ接続する操作が容易になる。
【０００９】
また、本発明の他の特徴によれば、Ｗｅｂサーバ起動手段を更に備えるようにしたので、撮像装置のＷｅｂサーバ機能を通信端末から起動することができる。また、複数の通信端末について着信の認証が許可されるように設定され、且つＷｅｂサーバ起動通知の送信先も当該複数の通信端末に設定されているときに、１つの通信端末から撮像装置へ着信をかけてＷｅｂサーバが起動している場合に、これが他の通信端末にもＷｅｂサーバ起動通知として通知されるため、他の通信端末からＷｅｂサーバを起動するための着信をかける必要性を無くすことができる。
【発明を実施するための最良の形態】
【００１０】
以下、図面を参照しながら本発明の諸実施形態を説明する。
【００１１】
（第１の実施形態）
図１は、本発明の第１の実施形態に係る撮像装置を含むシステム構成図およびその動作シーケンスを示す図である。
本実施形態における撮像装置１１は、通信機能とＷｅｂサーバ機能を有している。この撮像装置１１において、Ｗｅｂサーバが起動されると、公衆網経由でインターネット１２へ接続され、撮像装置１１に記憶されているメールアドレスへＷｅｂサーバのＵＲＬが添付されたメールが送信されて、Ｗｅｂサーバの起動が通知される。
【００１２】
メールを受信した通信端末１３では、添付されたＵＲＬにしたがってＷｅｂブラウザが起動されて、Ｗｅｂサーバへ接続される。その後、撮像装置１１に記憶されている画像データが送信されて通信端末１３上のＷｅｂブラウザに表示される。ここで、Ｗｅｂサーバの画像閲覧ページに制御コマンドを送信するインターフェースがある場合は、一例として画像撮影の制御コマンドが通信端末１３から撮像装置１１へ送られて画像撮影が行われ、撮影された画像データが通信端末１３へ送られて表示される。
【００１３】
撮像装置１１において、Ｗｅｂサーバが終了されるときは、撮像装置１１に記憶されているメールアドレスへメールが送信されてＷｅｂサーバの終了が通知される。ここで、メールを受信した通信端末のユーザは、Ｗｅｂサーバへ接続している場合は、Ｗｅｂブラウザを終了し、次にＷｅｂサーバの起動が通知されるまでＷｅｂブラウザを起動しないようにすることができる。
【００１４】
図２は、本発明の第１の実施形態に係る撮像装置の機能構成を示すブロック図である。  撮像装置１１は、設定記憶部２０１と、撮像部２０２と、センサ入力部２０３と、ＲＡＭ２０４と、制御部２０５と、ユーザインタフェース２０６と、画像記憶部２０７と、記憶制御部２０８と、通信部２０９とを含み構成されている。
【００１５】
設定記憶部２０１は、撮像装置の動作アルゴリズムで使用される設定値を格納する記憶領域である。撮像部２０２は、撮像装置のカメラユニットに相当し、画像を撮影する。センサ入力部２０３は、撮像装置の動作のトリガとなるセンサが接続され、センサがＯＮになるとその情報が制御部２０５へ伝達される。ＲＡＭ２０４は、一時的な記憶領域であり、動作アルゴリズムによって使用され、撮像部２０２で撮影された画像が記憶される。制御部２０５は、撮像装置の動作アルゴリズムを格納したＲＯＭ、動作アルゴリズムを実行するＣＰＵからなり、設定記憶部２０１、撮像部２０２、センサ入力部２０３、ＲＡＭ２０４、ユーザインタフェース２０６、記憶制御部２０８、通信部２０９を制御する。
【００１６】
ユーザインタフェース２０６は、ユーザからの設定値入力のインタフェースを提供し、ユーザからの手動によって画像撮影およびＷｅｂサーバ起動の指示を受ける。画像記憶部２０７は、記憶制御部２０８に接続されて撮影画像データを記憶する。記憶制御部２０８は、制御部２０５の指示にしたがって撮影画像データを画像記憶部２０７へ記憶させる。通信部２０９は、制御部２０５の指示にしたがって、通信網を経由してメール端末やサーバと接続し、撮影画像データを送信する。
【００１７】
図３は、本発明の第１の実施形態に係る撮像装置の画像記憶部２０７の構成例を示す図である。
第１の例では、画像記憶部３０１は内蔵メモリからなる構成であり、制御部２０５の指示によって記憶制御部２０８から転送される撮影画像データが記憶される。内蔵メモリの種類としては、不揮発性のフラッシュメモリやハードディスクドライブや書き換え可能な光ディスクドライブが使用できる。
【００１８】
第１の例では、画像記憶部３０２はメモリカードインタフェースとメモリカードからなる構成である。メモリカードは、着脱可能な記憶媒体であり、メモリカードインタフェースを経由して記憶制御部２０８に接続されて撮影画像データを記憶する。記憶制御部２０８は、メモリカードの装着および取り外しを検出し、制御部２０５の指示にしたがって撮影画像データをメモリカードへ記憶させる。
【００１９】
図４は、本発明の第１の実施形態に係る撮像装置の通信部２０９の構成例を示す図である。
第１の例では、通信部４０１は通信制御部と通信インタフェースからなる構成であり、通信インタフェースを介して接続された通信網経由の通信が通信制御部によって制御される。
【００２０】
第２の例では、通信部４０２はカードインタフェースと通信カードからなる構成であり、通信カードを着脱することにより撮像装置の通信機能を有効にしたり無効にしたりすることができる。通信カードには、第１の例の通信部４０１の通信制御部と通信インタフェースに相当する機能が実装されている。一例として、コンパクトフラッシュ（Ｒ）カード（ＣＦカード）インタフェースとＣＦカード型のＰＨＳカードの組み合わせが挙げられる。
【００２１】
本発明においては、通信媒体を限定するものではなく、有線アナログ回線、ＩＳＤＮ、有線ＬＡＮ、無線ＬＡＮ、ＰＤＣ、ＰＨＳ、ＩＭＴ−２０００、その他今後標準化される通信規格に準拠した通信媒体が使用可能である。
【００２２】
図５および図６は、本発明の第１の実施形態に係る撮像装置の設定記憶部２０１に記憶される設定データの例を示す図である。ここで、設定データは設定項目と設定値からなる。この設定データは、「ネットワーク設定」５０１、「ダイヤルアップ設定」５０２、「メール配信設定」５０３、「Ｗｅｂサーバ設定」６０１である。
設定データ「ネットワーク設定」５０１の設定項目は「ＩＰアドレス」「ＩＰアドレス指定」「サブネットマスク」「ゲートウェイ」「ＤＮＳ設定」「プライマリＤＮＳ」「セカンダリＤＮＳ」である。
【００２３】
「ネットワーク設定」５０１の設定項目において、「ＩＰアドレス」の設定値には、「自動取得」「指定」のいずれかが設定される。「ＩＰアドレス指定」の設定値には、「ＩＰアドレス」の設定値が「指定」の場合に指定されるＩＰアドレスの値が設定される。「サブネットマスク」の設定値には、サブネットマスクの値が設定される。「ゲートウェイ」の設定値には、ゲートウェイのＩＰアドレスの値が設定される。「ＤＮＳ設定」の設定値には、「使わない」「サーバ割り当て」「指定」のいずれかが設定される。「プライマリＤＮＳ」の設定値には、プライマリＤＮＳのＩＰアドレスの値が設定される。「セカンダリＤＮＳ」の設定値には、セカンダリＤＮＳのＩＰアドレスの値が設定される。
【００２４】
「ダイヤルアップ設定」５０２の設定項目において、「ダイヤルアップ接続先」の設定値には、インターネットへ接続するためにダイヤルアップ接続するインターネットサービスプロバイダの電話番号が設定される。「ユーザＩＤ」の設定値には、ダイヤルアップ接続の際に入力するユーザＩＤが設定される。「パスワード」の設定値には、ダイヤルアップ接続の際に入力するパスワードが設定される。
【００２５】
「メール配信設定」５０３の設定項目において、「サーバ名」の設定値には、メールサーバのアドレスを示す文字列が設定される。「送信元」の設定値には、配信メールの送信元に設定されるメールアドレスが設定される。「配信先」の設定値には、メール配信の宛先に指定されるメールアドレスが設定される。配信先とするメールアドレスは複数設定することができる。
【００２６】
図６に示す「Ｗｅｂサーバ設定」６０１の設定項目において、「ホスト名」の設定値には、ＤＮＳサーバに登録されるホスト名が設定される。「アクセス認証」の設定値には、「あり」「なし」のいずれかが設定される。Ｗｅｂサーバへのアクセスにパスワードによる認証を設けるか否かが設定される。「時刻設定」の設定値には、「あり」「なし」のいずれかが設定される。Ｗｅｂサーバの起動／終了を時刻によって制御するか否かが設定される。「時刻設定開始時刻」の設定値には、「時刻設定」が「あり」の場合にＷｅｂサーバを起動する時刻の時分秒の値が設定される。「時刻設定終了時刻」の設定値には、「時刻設定」が「あり」の場合にＷｅｂサーバを終了する時刻の時分秒の値が設定される。「センサ設定」の設定値には、「あり」「なし」のいずれかが設定される。Ｗｅｂサーバの起動／終了をセンサ入力によって制御するか否かが設定される。ここで、「センサ設定動作時間」の設定値には、「センサ設定」が「あり」の場合にＷｅｂサーバを起動してから終了するまでの時間の分秒の値が設定される。
【００２７】
上述した設定データは、図７，図８，図９，図１０で述べるユーザインタフェースによってあらかじめユーザが設定しておく。
【００２８】
図７は、本発明の第１の実施形態に係る撮像装置のユーザインタフェース２０６の一例を示す図である。
表示部７０１は、設定データを設定記憶部２０１へ設定するときの入力画面をユーザへ提供する。選択キー７０２は、ユーザが設定データを入力するときに、設定データ、設定項目、設定値の選択に使用される。設定キー７０３は、ユーザが設定データの入力を開始するとき、設定データ、設定項目、設定値の選択を確定するとき、設定項目に対する設定入力を確定するときに使用される。数字／英字・記号切り替えキー７０４は、数字・英字・記号入力キー７０６を使用して文字入力をする際に、数字入力と英字・記号入力を切り替えるのに使用される。撮影キー７０５は、手動撮影で画像を撮影するときに使用される。手動撮影で動画像が撮影されるときは、撮影キー７０５で撮影を開始し、もう一度撮影キー７０５が押されると撮影を終了する。数字・英字・記号入力キー７０６は、数字、英字、記号の入力に使用される。開始キー７０７は、手動でＷｅｂサーバを起動するときに使用される。終了キー７０８は、手動でＷｅｂサーバを終了するときに使用される。
【００２９】
図８は、本発明の第１の実施形態に係る撮像装置において、ユーザインタフェース２０６によって設定データの設定値を入力するときに表示部７０１へ表示される設定画面の表示例を示した図である。
図７に示した設定キー７０３が押されると設定入力が開始され、トップメニューとして設定データの選択が行われる。まず、「ネットワーク設定」８０１が表示され、続いて、選択キー７０２が押されると、「ダイヤルアップ設定」８０２が表示される。
【００３０】
そして、順次選択キー７０２によって「メール配信設定」８０３、「Ｗｅｂサーバ設定」８０４と表示され、さらに選択キー７０２が押されると、最初に戻って「ネットワーク設定」８０１が表示される。また、設定値を入力したい設定データが表示されているところで設定キー７０３が押されると、選択された設定データに対して設定値を入力するサブメニューへ移動する。
【００３１】
図９は、本発明の第１の実施形態に係る撮像装置において、ユーザインタフェース２０６によって設定データ「ネットワーク設定」の設定値を入力するときに表示部７０１へ表示される設定画面の表示例を示した図である。
まず、「ネットワーク設定」の「ＩＰアドレス」の設定画面９０１が表示され、「１．自動取得」「２．指定」が選択キー７０２あるいは数字・英字・記号入力キー７０６によって選択され、設定キー７０３によって設定される。ここで、「１．自動取得」が設定された場合、設定画面９０５が表示される。「２．指定」が設定された場合、設定画面９０２が表示される。
【００３２】
設定画面９０２では、「ネットワーク設定」の「ＩＰアドレス指定」の設定が行われ、ＩＰアドレスの値が数字・英字・記号入力キー７０６によって入力され、設定キー７０３によって設定される。次に設定画面９０３が表示される。
【００３３】
設定画面９０３では、「ネットワーク設定」の「サブネットマスク」の設定が行われ、サブネットマスクの値が数字・英字・記号入力キー７０６によって入力され、設定キー７０３によって設定される。次に設定画面９０４が表示される。
【００３４】
設定画面９０４では、「ネットワーク設定」の「ゲートウェイ」の設定が行われ、ゲートウェイのＩＰアドレスの値が数字・英字・記号入力キー７０６によって入力され、設定キー７０３によって設定される。次に設定画面９０５が表示される。
【００３５】
設定画面９０５では、「ネットワーク設定」の「ＤＮＳ設定」の設定が行われ、「１．使わない」「２．サーバ割り当て」「３．指定」が選択キー７０２あるいは数字・英字・記号入力キー７０６によって選択され、設定キー７０３によって設定される。「３．指定」が設定された場合、設定画面９０６が表示される。それ以外の場合は「ネットワーク設定」の設定が終了されて設定画面８０１の表示へ戻る。
【００３６】
設定画面９０６では、「ネットワーク設定」の「プライマリＤＮＳ」の設定が行われ、プライマリＤＮＳのＩＰアドレスの値が数字・英字・記号入力キー７０６によって入力され、設定キー７０３によって設定される。次に設定画面９０７が表示される。
【００３７】
設定画面９０７では、「ネットワーク設定」の「セカンダリＤＮＳ」の設定が行われ、セカンダリＤＮＳのＩＰアドレスの値が数字・英字・記号入力キー７０６によって入力され、設定キー７０３によって設定される。そこで「ネットワーク設定」の設定が終了されて設定画面８０１の表示へ戻る。
【００３８】
図１０は、本発明の第１の実施形態に係る撮像装置において、ユーザインタフェース２０６によって設定データ「Ｗｅｂサーバ設定」の設定値を入力するときに表示部７０１へ表示される設定画面の表示例を示した図である。
【００３９】
まず、「Ｗｅｂサーバ設定」の「ホスト名」の設定画面１００１が表示され、ホスト名の文字列が数字・英字・記号入力キー７０６によって入力され、設定キー７０３によって設定される。次に設定画面１００２が表示される。
【００４０】
設定画面１００２では、「Ｗｅｂサーバ設定」の「アクセス認証」の設定が行われ、「１．あり」「２．なし」が選択キー７０２あるいは数字・英字・記号入力キー７０６によって選択され、設定キー７０３によって設定される。次に設定画面１００３が表示される。
【００４１】
設定画面１００３では、「Ｗｅｂサーバ設定」の「時刻設定」の設定が行われ、「１．あり」「２．なし」が選択キー７０２あるいは数字・英字・記号入力キー７０６によって選択され、設定キー７０３によって設定される。「１．あり」が設定された場合、設定画面１００４が表示される。「２．なし」が設定された場合、設定画面１００６が表示される。
【００４２】
設定画面１００４では、「Ｗｅｂサーバ設定」の「時刻設定開始時刻」の設定が行われ、「時刻設定」が「あり」の場合にＷｅｂサーバを起動する時刻の値が数字・英字・記号入力キー７０６によって入力され、設定キー７０３によって設定される。次に設定画面１００５が表示される。
【００４３】
設定画面１００５では、「Ｗｅｂサーバ設定」の「時刻設定終了時刻」の設定が行われ、「時刻設定」が「あり」の場合にＷｅｂサーバを終了する時刻の値が数字・英字・記号入力キー７０６によって入力され、設定キー７０３によって設定される。次に設定画面１００６が表示される。
【００４４】
設定画面１００６では、「Ｗｅｂサーバ設定」の「センサ設定」の設定が行われ、「１．あり」「２．なし」が選択キー７０２あるいは数字・英字・記号入力キー７０６によって選択され、設定キー７０３によって設定される。「１．あり」が設定された場合、設定画面１００７が表示される。「２．なし」が設定された場合、「Ｗｅｂサーバ設定」の設定が終了されて設定画面８０４の表示へ戻る。
【００４５】
設定画面１００７では、「Ｗｅｂサーバ設定」の「センサ設定動作時間」の設定が行われ、センサ入力でＷｅｂサーバを起動するときの動作時間の値が数字・英字・記号入力キー７０６によって入力され、設定キー７０３によって設定される。そこで「Ｗｅｂサーバ設定」の設定が終了されて設定画面８０４の表示へ戻る。
【００４６】
他の設定データ「ダイヤルアップ設定」「メール配信設定」についても図９，図１０と同様に設定画面を表示することにより、設定値が入力される。以上のように、図８，図９、図１０を一例として、ユーザインタフェース２０６を用いて一通りの設定データを入力することができる。
【００４７】
図１１，図１２，図１３，図１５，図１８，図１９は、本発明の第１の実施形態に係る撮像装置の動作アルゴリズムを示すフローチャートである。以下では、フローチャートにしたがって撮像装置の動作を説明する。
【００４８】
図１１は、本発明の第１の実施形態に係る撮像装置の動作アルゴリズムである。
ステップＳ１１０１では、Ｗｅｂサーバが起動される。ステップＳ１１０１の処理の詳細は、図１２を参照して後述する。
【００４９】
続いて、ステップＳ１１０２では、Ｗｅｂサーバの起動がメールで通信端末に通知される。ステップＳ１１０２の処理の詳細は、図１３を参照して後述する。
【００５０】
続いて、ステップＳ１１０３では、撮像装置のＷｅｂサーバに接続している通信端末があるか否かが判別される。Ｗｅｂサーバに接続している通信端末がある場合はステップＳ１１０４へ進み、Ｗｅｂサーバに接続している通信端末がない場合はステップＳ１１０６へ進み、処理が続けられる。
【００５１】
続いて、ステップＳ１１０４では、Ｗｅｂサーバの動作する撮像装置とＷｅｂサーバに接続している通信端末との間でデータ送信が行われる。ステップＳ１１０４の処理の詳細は、図１５を参照して後述する。
【００５２】
続いて、ステップＳ１１０５では、通信端末からＷｅｂサーバへ送られてきた制御コマンドが撮像装置で処理される。ステップＳ１１０５の処理の詳細は、図１７を参照して後述する。
【００５３】
続いて、ステップＳ１１０６では、撮像装置で動作するＷｅｂサーバを終了するか否かが判断される。ステップＳ１１０６の処理の詳細は、図１８を参照して後述する。
【００５４】
続いて、ステップＳ１１０７では、Ｗｅｂサーバの終了がメールで通信端末へ通知される。図２０に、Ｗｅｂサーバ終了通知メールのメール本文の例の図を示す。２００１は「Ｗｅｂサーバ設定」６０１の「ホスト名」が設定されている場合にホスト名によってどの撮像装置のＷｅｂサーバが終了するかを通知する例であり、２００２はＷｅｂサーバが終了する撮像装置のＩＰアドレスを通知する例である。
【００５５】
続いて、ステップＳ１１０８では、Ｗｅｂサーバが終了される。
【００５６】
図１２は、本発明の第１の実施形態に係る撮像装置の動作アルゴリズムにおけるＷｅｂサーバ起動を示すフローチャートである。このフローチャートは、図１１のステップＳ１１０１に相当する。
【００５７】
まず、ステップＳ１２０１では、ユーザインタフェース２０６の開始ボタン７０７が押されたか否かが判別される。開始ボタンが押されたと判別される場合はステップＳ１２０６へ進み、開始ボタンが押されていないと判別される場合はステップＳ１２０２へ進み、処理が続けられる。
【００５８】
続いて、ステップＳ１２０２では、設定データ「Ｗｅｂサーバ設定」６０１の「時刻設定」が「あり」であるか否かが判別される。「時刻設定」が「あり」の場合はステップＳ１２０３へ進み、「時刻設定」が「なし」の場合はステップＳ１２０４へ進み、処理が続けられる。
【００５９】
続いて、ステップＳ１２０３では、現在時刻が「Ｗｅｂサーバ設定」６０１の「時刻設定開始時刻」であるか否かが判別される。「時刻設定開始時刻」であると判別される場合はステップＳ１２０６へ進み、「時刻設定開始時刻」ではないと判別される場合はステップＳ１２０４へ進み、処理が続けられる。
【００６０】
続いて、ステップＳ１２０４では、設定データ「Ｗｅｂサーバ設定」６０１の「センサ設定」が「あり」であるか否かが判別される。「センサ設定」が「あり」の場合はステップＳ１２０５へ進み、「センサ設定」が「なし」の場合はステップＳ１２０１へ進み、処理が続けられる。
【００６１】
続いて、ステップＳ１２０５では、センサ入力部２０３にセンサ入力があるか否かが判別される。センサ入力がある場合は「Ｗｅｂサーバ設定」６０１の「センサ設定動作時間」の経過を判断するためにために現在時刻を記憶した後ステップＳ１２０６へ進み、センサ入力がない場合はステップＳ１２０１へ進み、処理が続けられる。
【００６２】
続いて、ステップＳ１２０６では、Ｗｅｂサーバが起動され、公衆網およびインターネットを経由して通信端末からＷｅｂブラウザでアクセスできるようになる。
【００６３】
図１３は、本発明の第１の実施形態に係る撮像装置の動作アルゴリズムにおける起動通知メール送信を示すフローチャートである。このフローチャートは、図１１のステップＳ１１０２に相当する。
【００６４】
まず、ステップＳ１３０１では、起動通知メールのメール本文が生成される。メール本文の例を図１４に示す。図１４に示す例では、「Ｗｅｂサーバが起動しました。」という文が生成されている。
【００６５】
続いて、ステップＳ１３０２では、設定データ「Ｗｅｂサーバ設定」６０１の「ホスト名」が設定されているか否かが判別される。「ホスト名」が設定されている場合はステップＳ１３０３へ進み、「ホスト名」が設定されていない場合はステップＳ１３０４へ進み、処理が続けられる。
【００６６】
続いて、ステップＳ１３０３では、「ホスト名」からＵＲＬが生成される。図１４の例では、「ホスト名」に「12123.canon.co.jp」が設定されている場合に、１４０１に示すように「http://12123.canon.co.jp/」というＵＲＬが生成される。
【００６７】
続いて、ステップＳ１３０４では、「ネットワーク設定」５０１で指定または自動取得されたＩＰアドレスからＵＲＬが生成される。図１４の例では、ＩＰアドレスが「123.45.67.89」の場合に、１４０２に示すように「http://123.45.67.89/」というＵＲＬが生成される。
【００６８】
続いて、ステップＳ１３０５では、ステップＳ１３０３またはステップＳ１３０４で生成されたＵＲＬがメール本文に追加される。
【００６９】
続いて、ステップＳ１３０６では、「Ｗｅｂサーバ設定」６０１の「アクセス認証」が「あり」であるか否かが判別される。「アクセス認証」が「あり」の場合はステップＳ１３０７へ進み、「アクセス認証」が「なし」の場合はステップＳ１３０９へ進み、処理が続けられる。
【００７０】
続いて、ステップＳ１３０７では、Ｗｅｂサーバへのアクセス認証用パスワードが生成される。
【００７１】
続いて、ステップＳ１３０８では、生成されたアクセス認証用パスワードがメール本文に追加される。図１４に示す例では、１４０３に示すように「abcde」というパスワード文字列が生成されてメール本文に追加される。
【００７２】
続いて、ステップＳ１３０９では、生成されたメールが通信端末へ送信される。
【００７３】
図１５は、本発明の第１の実施形態に係る撮像装置の動作アルゴリズムにおけるデータ送信を示すフローチャートである。このフローチャートは、図１１のステップＳ１１０４に相当する。
【００７４】
まず、ステップＳ１５０１では、「Ｗｅｂサーバ設定」６０１の「アクセス認証」が「あり」であるか否かが判別される。「アクセス認証」が「あり」である場合はステップＳ１５０２へ進み、「アクセス認証」が「なし」の場合はステップＳ１５０６へ進み、処理が続けられる。
【００７５】
続いて、ステップＳ１５０２では、Ｗｅｂサーバに接続している通信端末が未認証であるか否かが判別される。未認証である場合はステップＳ１５０３へ進み、認証済みである場合はステップＳ１５０６へ進み、処理が続けられる。
【００７６】
続いて、ステップＳ１５０３では、通信端末のユーザにアクセス認証用パスワードを入力してもらうための認証ページのデータが生成される。
【００７７】
続いて、ステップＳ１５０４では、ステップＳ１５０３で生成された認証ページデータが通信端末へ送信され、通信端末上のＷｅｂブラウザに表示される。図１６に認証ページの例１６０１を示す。アクセス認証用パスワード入力のためのカーソルが表示される。
【００７８】
続いて、ステップＳ１５０５では、アクセス認証の処理が行われる。図１６に示す例では、通信端末のユーザがＷｅｂサーバ起動通知のメール本文に記載されているパスワードを入力すると、入力されたパスワードが撮像装置のＷｅｂサーバへ送信されて認証が行われる。
【００７９】
また、ステップＳ１５０６では、通信端末からＷｅｂページが要求されているか否かが判別される。Ｗｅｂページが要求されている場合はステップＳ１５０７へ進み、Ｗｅｂページが要求されていない場合はステップＳ１５０９へ進み、処理が続けられる。
【００８０】
続いて、ステップＳ１５０７では、Ｗｅｂページのデータが生成され、ステップＳ１５０８で通信端末へ送信される。
【００８１】
また、ステップＳ１５０９では、通信端末から画像データが要求されているか否かが判別される。画像データが要求されている場合はステップＳ１５１０へ進み、処理が続けられ、画像データが要求されていない場合は処理を終了する。
【００８２】
続いて、ステップＳ１５１０では、画像データが画像記憶部２０７から読み出される。その後ステップＳ１５１１で通信端末へ送信され、画像データを受信した通信端末のＷｅｂブラウザで画像が表示される。図１７に通信端末のＷｅｂブラウザでの画像表示例を示す。図１７に示す画像表示例の場合、通信端末のＷｅｂブラウザのユーザインタフェースをユーザが操作することにより、画像データの要求が撮像装置へ送られる。Ｗｅｂブラウザ画面１７０１には、更新ボタン１７０２があり、通信端末のユーザはポインティングデバイスまたは撮影ボタンに割り当てられたキーによって更新ボタン１７０２を操作する。更新ボタン１７０２がオンになると撮像装置に保存されている最新の画像データを送信する要求が撮像装置へ送られる。
【００８３】
ここで、図１７に示す画像表示例は一例を示すものであり、画面のデザインは図１７に限定される必要はない。また、Ｗｅｂブラウザに標準で備えられている更新ボタンを操作することによっても、Ｗｅｂページ要求、ならびにそのページに画像を表示するスクリプトが記述されている場合は画像データ要求が撮像装置へ送られる。
【００８４】
図１８は、本発明の第１の実施形態に係る撮像装置の動作アルゴリズムにおける制御コマンド処理を示すフローチャートである。このフローチャートは、図１１のステップＳ１１０５に相当する。図１７に示す画像表示例の場合、通信端末のＷｅｂブラウザのユーザインタフェースをユーザが操作することにより、制御コマンドが撮像装置へ送られる。Ｗｅｂブラウザ画面１７０１には、撮影ボタン１７０３があり、通信端末のユーザはポインティングデバイスまたは撮影ボタンに割り当てられたキーによって撮影ボタン１７０３を操作する。
【００８５】
まず、ステップＳ１８０１では、Ｗｅｂサーバへ接続中の通信端末から画像撮影コマンドを受信したか否かが判別される。図１７に示す画像表示例の場合、撮影ボタン１７０２がオンになると画像撮影コマンドが撮像装置へ送られる。画像撮影コマンドを受信した場合はステップＳ１８０２へ進み、処理が続けられ、画像撮影コマンドを受信しなかった場合は処理を終了する。
【００８６】
続いて、ステップＳ１８０２では、撮像部２０２で画像撮影が行われ、画像データがＲＡＭ２０４へ転送される。
【００８７】
続いて、ステップＳ１８０３では、ＲＡＭ２０４へ転送された画像データが記憶制御部２０８によって画像記憶部２０７に保存される。
【００８８】
図１９は、本発明の第１の実施形態に係る撮像装置の動作アルゴリズムにおけるＷｅｂサーバ終了判断を示すフローチャートである。このフローチャートは、図１１のステップＳ１１０６に相当する。
【００８９】
まず、ステップＳ１９０１では、ユーザインタフェース２０６のＷｅｂサーバ終了ボタン７０８が押されたか否かが判別される。終了ボタン７０８が押されたと判断される場合はステップＳ１９０２へ進み、Ｗｅｂサーバ終了と判断して処理を終了する。終了ボタン７０８が押されていないと判断される場合はステップＳ１９０３へ進み、処理が続けられる。
【００９０】
続いて、ステップＳ１９０３では、設定データ「Ｗｅｂサーバ設定」６０１の「時刻設定」が「あり」であるか否かが判別される。「時刻設定」が「あり」の場合はステップＳ１９０４へ進み、「時刻設定」が「なし」の場合はステップＳ１９０５へ進み、処理が続けられる。
【００９１】
続いて、ステップＳ１９０４では、現在時刻が「Ｗｅｂサーバ設定」６０１の「時刻設定終了時刻」であるか否かが判別される。「時刻設定終了時刻」であると判別される場合はステップＳ１９０２へ進み、Ｗｅｂサーバ終了と判断して処理を終了する。「時刻設定終了時刻」ではないと判別される場合はステップＳ１９０５へ進み、処理が続けられる。
【００９２】
続いて、ステップＳ１９０５では、設定データ「Ｗｅｂサーバ設定」６０１の「センサ設定」が「あり」であるか否かが判別される。「センサ設定」が「あり」の場合はステップＳ１９０６へ進み、処理が続けられる。「センサ設定」が「なし」の場合はステップＳ１９０７へ進み、Ｗｅｂサーバ継続と判断して処理を終了する。
【００９３】
続いて、ステップＳ１９０６では、設定データ「Ｗｅｂサーバ設定」６０１の「センサ設定動作時間」が経過したか否かが判別される。「センサ設定動作時間」が経過した場合はステップＳ１９０２へ進み、Ｗｅｂサーバ終了と判断して処理を終了する。「センサ設定動作時間」が経過していない場合はステップＳ１９０７へ進み、Ｗｅｂサーバ継続と判断して処理を終了する。
【００９４】
（第２の実施形態）
本発明の第２の実施形態に係る撮像装置に関して、図２，図３，図４，図５，図７，図１１，図１３，図１４，図１５，図１６，図１７，図１８，図２０は第１の実施形態と同様である。
【００９５】
図２１は、本発明の第２の実施形態に係る撮像装置を含むシステム構成図および動作シーケンスを示す図である。
本実施形態における撮像装置２１は、通信機能とＷｅｂサーバ機能を有している。通信端末２３から撮像装置２１へ着信をかけると、発信者番号による認証が行われる。認証が許可されると撮像装置２１においてＷｅｂサーバが起動し、公衆網及びインターネット２２を経由してＷｅｂサーバのＵＲＬを添付したＷｅｂサーバ起動通知メールが通信端末２３へ送信される。
【００９６】
メールを受信した通信端末２３では、メールに添付されたＵＲＬにしたがってＷｅｂブラウザが起動され、撮像装置２１のＷｅｂサーバへ接続される。その後、撮像装置２１に記憶されている画像データが送信されて通信端末２３上のＷｅｂブラウザに表示される。Ｗｅｂサーバの画像閲覧ページに制御コマンドを送信するインターフェースがある場合は、一例として画像撮影の制御コマンドが通信端末２３から撮像装置２１へ送られて画像撮影が行われ、撮影された画像データが通信端末２３へ送られて表示される。また、撮像装置２１でＷｅｂサーバが終了されるときは、撮像装置２１に記憶されているメールアドレスへメールが送信されてＷｅｂサーバの終了が通知される。メールを受信した通信端末２３のユーザは、Ｗｅｂサーバへ接続している場合はＷｅｂブラウザを終了し、次にＷｅｂサーバの起動が通知されるまでＷｅｂブラウザを起動しないようにすることができる。
【００９７】
図５および図２２は、本発明の第２の実施形態に係る撮像装置の設定記憶部２０１に記憶される設定データの例を示す図である。
本実施形態において、図５に示されている設定データ「ネットワーク設定」５０１、「ダイヤルアップ設定」５０２、「メール配信設定」５０３は、本発明の第１の実施形態に記載されているものと同様である。また、図２２に示されている設定データは、「Ｗｅｂサーバ設定」２２０１と「着信ユーザ設定」２２０２である。
【００９８】
「Ｗｅｂサーバ設定」２２０１の設定項目において、「ホスト名」の設定値には、ＤＮＳサーバに登録されるホスト名が設定される。「アクセス認証」の設定値には、「あり」「なし」のいずれかが設定される。Ｗｅｂサーバへのアクセスにパスワードによる認証を設けるか否かが設定される。「着信設定」の設定値には、「あり」「なし」のいずれかが設定される。Ｗｅｂサーバの起動を撮像装置への着信によって制御するか否かが設定される。「着信設定動作時間」の設定値には、「着信設定」が「あり」の場合にＷｅｂサーバを起動してから終了するまでの時間の分秒の値が設定される。
【００９９】
「着信ユーザ設定」２２０２の設定項目において、「電話番号」の設定値には、着信を受けるときに発信者番号によって認証を許可する通信端末の電話番号が設定される。「電話番号」の設定値は複数設定することができる。
【０１００】
図２３は、本発明の第２の実施形態に係る撮像装置において、ユーザインタフェース２０６によって設定データの設定値を入力するときに表示部７０１へ表示される設定画面の表示例を示した図である。
図７に示した設定キー７０３が押されると設定入力が開始され、トップメニューとして設定データの選択が行われる。まず、「ネットワーク設定」２３０１が表示され、続いて、選択キー７０２が押されると、「ダイヤルアップ設定」２３０２が表示される。
【０１０１】
そして、順次選択キー７０２によって「メール配信設定」２３０３、「Ｗｅｂサーバ設定」２３０４、「着信ユーザ設定」２３０５と表示され、さらに選択キー７０２が押されると、最初に戻って「ネットワーク設定」２３０１が表示される。設定値を入力したい設定データが表示されているところで設定キー７０３が押されると、選択された設定データに対して設定値を入力するサブメニューへ移動する。
【０１０２】
図２４は、本発明の第２の実施形態に係る撮像装置において、ユーザインタフェース２０６によって設定データ「Ｗｅｂサーバ設定」の設定値を入力するときに表示部７０１へ表示される設定画面の表示例を示した図である。
まず、「Ｗｅｂサーバ設定」の「ホスト名」の設定画面２４０１が表示され、ホスト名の文字列が数字・英字・記号入力キー７０６によって入力され、設定キー７０３によって設定される。次に設定画面２４０２が表示される。
【０１０３】
設定画面２４０２では、「Ｗｅｂサーバ設定」の「アクセス認証」の設定が行われ、「１．あり」「２．なし」が選択キー７０２あるいは数字・英字・記号入力キー７０６によって選択され、設定キー７０３によって設定される。次に設定画面２４０３が表示される。
【０１０４】
設定画面２４０３では、「Ｗｅｂサーバ設定」の「着信設定」の設定が行われ、「１．あり」「２．なし」が選択キー７０２あるいは数字・英字・記号入力キー７０６によって選択され、設定キー７０３によって設定される。「１．あり」が設定された場合、設定画面２４０４が表示される。「２．なし」が設定された場合、「Ｗｅｂサーバ設定」の設定が終了されて設定画面２３０４の表示へ戻る。
【０１０５】
設定画面２４０４では、「Ｗｅｂサーバ設定」の「着信設定動作時間」の設定が行われ、通信端末からの着信をトリガとしてＷｅｂサーバを起動したときの動作時間の値が数字・英字・記号入力キー７０６によって入力され、設定キー７０３によって設定される。そこで「Ｗｅｂサーバ設定」の設定が終了されて設定画面２３０４の表示へ戻る。
【０１０６】
図２５は、本発明の第２の実施形態に係る撮像装置において、ユーザインタフェース２０６によって設定データ「着信ユーザ設定」の設定値を入力するときに表示部７０１へ表示される設定画面の表示例を示した図である。
まず、「着信ユーザ設定」の「電話番号」の設定画面２５０１が表示され、発信者番号により着信の認証を許可する電話番号が数字・英字・記号入力キー７０６によって入力され、設定キー７０３によって設定される。次に設定画面２５０２が表示される。
【０１０７】
設定画面２５０２では、「着信ユーザ設定」の「電話番号」を複数設定する場合の例が示されている。設定画面２５０１と同様に、発信者番号により着信の認証を許可する電話番号が数字・英字・記号入力キー７０６によって入力され、設定キー７０３によって設定される。次に設定画面２５０３が表示される。
【０１０８】
「着信ユーザ設定」の「電話番号」の設定終了は、設定画面２５０３に示すように電話番号が何も入力されていない状態で設定キー７０３が押されることにより行われる。そこで「着信ユーザ設定」の設定が終了されて設定画面２３０５の表示へ戻る。
【０１０９】
他の設定データ「ネットワーク設定」「ダイヤルアップ設定」「メール配信設定」についても図９、図２４、図２５と同様に設定画面を表示することにより、設定値が入力される。以上のように、図２３、図２４、図２５を一例として、ユーザインタフェース２０６を用いて一通りの設定データを入力することができる。
【０１１０】
図２６は、本発明の第２の実施形態に係る撮像装置の動作アルゴリズムにおけるＷｅｂサーバ起動を示すフローチャートである。このフローチャートは、図１１のステップＳ１１０１に相当する。
【０１１１】
まず、ステップＳ２６０１では、通信端末から撮像装置へ着信しているか否かが判断される。着信している場合はステップＳ２６０２へ進み、着信していない場合はステップＳ２６０４へ進み、処理が続けられる。
【０１１２】
続いて、ステップＳ２６０２では、設定データ「Ｗｅｂサーバ設定」２２０１の「着信設定」が「あり」であるか否かが判別される。「着信設定」が「あり」の場合はステップＳ２６０３へ進み、「着信設定」が「なし」の場合はステップＳ２６０１へ進み、処理が続けられる。
【０１１３】
続いて、ステップＳ２６０３では、撮像装置へ着信している通信端末の発信者番号が「着信ユーザ設定」２２０２の「電話番号」に登録されている番号と一致するか否かが判断される。「着信ユーザ設定」２２０２の「電話番号」に発信者番号と一致するものがあると判断される場合は、「Ｗｅｂサーバ設定」２２０１の「着信設定動作時間」の経過を判断するために現在時刻を記憶した後ステップＳ２６０５へ進み、「着信ユーザ設定」２２０２の「電話番号」に発信者番号と一致するものがないと判別される場合はステップＳ２６０１へ進み、処理が続けられる。
【０１１４】
一方、ステップＳ２６０４では、ユーザインタフェース２０６の開始ボタン７０７が押されたか否かが判別される。開始ボタンが押されたと判別される場合はステップＳ２６０５へ進み、開始ボタンが押されていないと判別される場合はステップＳ２６０１へ進み、処理が続けられる。
【０１１５】
続いて、ステップＳ２６０５では、Ｗｅｂサーバが起動され、公衆網およびインターネットを経由して通信端末からＷｅｂブラウザでアクセスできるようになる。
【０１１６】
図２７は、本発明の第２の実施形態に係る撮像装置の動作アルゴリズムにおけるＷｅｂサーバ終了判断を示すフローチャートである。このフローチャートは、図１１のステップＳ１１０６に相当する。
【０１１７】
まず、ステップＳ２７０１では、ユーザインタフェース２０６のＷｅｂサーバ終了ボタン７０８が押されたか否かが判別される。終了ボタン７０８が押されたと判断される場合はステップＳ２７０２へ進み、Ｗｅｂサーバ終了と判断して処理を終了する。終了ボタン７０８が押されていないと判断される場合はステップＳ２７０３へ進み、処理が続けられる。
【０１１８】
続いて、ステップＳ２７０３では、設定データ「Ｗｅｂサーバ設定」２２０１の「着信設定」が「あり」であるか否かが判別される。「着信設定」が「あり」の場合はステップＳ２７０４へ進み、処理が続けられる。「着信設定」が「なし」の場合はステップＳ２７０５へ進み、Ｗｅｂサーバ継続と判断して処理を終了する。
【０１１９】
続いて、ステップＳ２７０４では、設定データ「Ｗｅｂサーバ設定」２２０１の「着信設定動作時間」が経過したか否かが判別される。「着信設定動作時間」が経過した場合はステップＳ２７０２へ進み、Ｗｅｂサーバ終了と判断して処理を終了する。「着信設定動作時間」が経過していない場合はステップＳ２７０５へ進み、Ｗｅｂサーバ継続と判断して処理を終了する。
【０１２０】
（その他の実施形態）
本発明で撮像装置に設定される設定項目は、第１の実施形態、第２の実施形態で使用したものに限定されるものではなく、たとえば、Ｗｅｂサーバ起動のトリガとして、撮像部にマイクなどの音声入力機能を追加して音の入力があったときにＷｅｂサーバを起動する設定を追加してもよい。
【０１２１】
また、本発明の撮像装置へ通信端末から送られる制御コマンドは、第１の実施形態、第２の実施形態で使用した画像撮影に限定されるものではなく、撮像装置の構成にパン・チルトの制御機構がある場合はパン・チルト制御、撮像装置の撮像部にズーム機能がある場合はズーム制御を追加することができる。
【０１２２】
また、設定データの設定画面の図８、図９、図１０、図２３、図２４、図２５は一例を示すものであり、設定データの設定値が設定できるものならば、例に示す設定画面に限定されるものではない。
【０１２３】
また、第２の実施形態においては、図２２に示す「着信ユーザ設定」２２０２の設定値に従って発信者番号によって通信端末から通信機能付き撮像装置への着信の認証を行っていたが、図２８に例を示すように「着信ユーザ設定」の設定項目を「サブアドレス」とする設定データを用いて着信認証を行ってもよい。「着信ユーザ設定」２８０１の場合は通信端末から送られてくる発信者サブアドレスが設定値と一致する場合に認証が許可される。「着信ユーザ設定」２８０２の場合は通信端末から送られてくる着信者サブアドレスが設定値と一致する場合に認証が許可される。「着信ユーザ設定」２８０３の場合は通信端末から送られてくる発信者サブアドレスと着信者サブアドレスがそれぞれの設定値と一致する場合に認証が許可される。「着信ユーザ設定」２８０４の場合は通信端末から送られてくる発信者サブアドレスまたは着信者サブアドレスが設定値と一致する場合に認証が許可される。ＩＳＤＮやＰＨＳのように呼設定にサブアドレスの情報要素を含む通信媒体を使用して通信端末から通信機能付き撮像装置へ着信をかける場合は、着信の認証にサブアドレスを使用することができる。また、発信者番号とサブアドレスを組み合わせた認証も可能である。
【０１２４】
また、通信端末から通信機能付き撮像装置へ着信をかける際の呼設定で要求される伝達能力はデータ通信に限定されるものではなく、音声通信も使用できる。すなわち通信端末からはデータ通信、音声通信のいずれによっても通信機能付き撮像装置で着信を認証することが可能である。
【０１２５】
また、設定データの設定は撮像装置のユーザインタフェースから行われることに限定されるものではなく、たとえば、ＰＣまたは情報機器に設定データの設定値を入力するソフトウェアを実装してユーザが設定値の入力を行い、ＰＣまたは情報機器と撮像装置とを接続して設定値入力済みの設定データを転送することで実現してもよい。その場合のＰＣまたは情報機器と撮像装置との接続は、RS-232C、ＵＳＢ、パラレル、Bluetooth、有線ＬＡＮ、無線ＬＡＮ、その他情報機器同士を接続する通信規格のいずれかの通信インタフェースをＰＣまたは情報機器と撮像装置の双方に実装することによって可能になる。
【０１２６】
また、設定データの設定は撮像装置のユーザインタフェースから行われることに限定されるものではなく、たとえば、インターネット上のサイトで設定データの設定値を入力するサービスを実装してユーザがブラウザで設定値の入力を行い、インターネット上のサイトから撮像装置へ通信網経由で接続して設定値入力済みの設定データを転送することで実現してもよい。
【図面の簡単な説明】
【０１２７】
【図１】本発明の第１の実施形態に係る撮像装置を含むシステム構成図およびその動作シーケンスを示す図である。
【図２】本発明の実施形態に係る撮像装置の機能構成を示すブロック図である。
【図３】本発明の実施形態に係る撮像装置の画像記憶部の構成例を示す図である。
【図４】本発明の実施形態に係る撮像装置の通信部の構成例を示す図である。
【図５】本発明の実施形態に係る撮像装置の設定記憶部に記憶される設定データの例を示す図である。
【図６】本発明の第１の実施形態に係る撮像装置の設定記憶部に記憶される設定データの例を示す図である。
【図７】本発明の実施形態に係る撮像装置のユーザインタフェースの一例を示す図である。
【図８】本発明の第１の実施形態に係る撮像装置において、ユーザインタフェースによって設定値を入力するときの表示部に表示される表示例を示した図である。
【図９】本発明の第１の実施形態に係る撮像装置において、ユーザインタフェースによって設定値を入力するときの表示部に表示される表示例を示した図である。
【図１０】本発明の第１の実施形態に係る撮像装置において、ユーザインタフェースによって設定値を入力するときの表示部に表示される表示例を示した図である。
【図１１】本発明の実施形態に係る撮像装置の動作アルゴリズムを示すフローチャートである。
【図１２】本発明の第１の実施形態に係る撮像装置の動作アルゴリズムにおけるＷｅｂサーバ起動を示すフローチャートである。
【図１３】本発明の実施形態に係る撮像装置の動作アルゴリズムにおける起動通知メール送信を示すフローチャートである。
【図１４】本発明の実施形態に係る撮像装置においてＷｅｂサーバの起動を通知するメールの例を示した図である。
【図１５】本発明の実施形態に係る撮像装置の動作アルゴリズムにおけるデータ送信を示すフローチャートである。
【図１６】本発明の実施形態に係る撮像装置で動作するＷｅｂサーバへ接続する通信端末上のＷｅｂブラウザでアクセス認証を行う際の認証ページの例を示した図である。
【図１７】本発明の実施形態に係る撮像装置で動作するＷｅｂサーバから通信端末へ送信された画像データを表示して画像撮影のコマンド入力インタフェースを提供するページの例を示した図である。
【図１８】本発明の実施形態に係る撮像装置の動作アルゴリズムにおける制御コマンド処理を示すフローチャートである。
【図１９】本発明の第１の実施形態に係る撮像装置の動作アルゴリズムにおけるＷｅｂサーバ終了判断を示すフローチャートである。
【図２０】本発明の実施形態に係る撮像装置においてＷｅｂサーバの終了を通知するメールの例を示した図である。
【図２１】本発明の第２の実施形態に係る通信機能付き撮像装置が使用されるシステム構成および動作シーケンスを示す図である。
【図２２】本発明の第２の実施形態に係る撮像装置の設定記憶部に記憶される設定データの例を示す図である。
【図２３】本発明の第２の実施形態に係る撮像装置において、ユーザインタフェースによって設定値を入力するときの表示部に表示される表示例を示した図である。
【図２４】本発明の第２の実施形態に係る撮像装置において、ユーザインタフェースによって設定値を入力するときの表示部に表示される表示例を示した図である。
【図２５】本発明の第２の実施形態に係る撮像装置において、ユーザインタフェースによって設定値を入力するときの表示部に表示される表示例を示した図である。
【図２６】本発明の第２の実施形態に係る撮像装置の動作アルゴリズムにおけるＷｅｂサーバ起動を示すフローチャートである。
【図２７】本発明の第２の実施形態に係る撮像装置の動作アルゴリズムにおけるＷｅｂサーバ終了判断を示すフローチャートである。
【図２８】本発明のその他の実施形態に係る撮像装置の設定記憶部に記憶される設定データの例を示す図である。
【符号の説明】
【０１２８】
１１，２１  撮像装置
１２，２２  公衆網及びインターネット
１３，２３  通信端末
２０１  設定記憶部
２０２  撮像部
２０３  センサ入力部
２０４  ＲＡＭ
２０５  制御部
２０６  ユーザインタフェース
２０７  画像記憶部
２０８  記憶制御部
２０９  通信部
７０１  表示部
７０２  選択キー
７０３  設定キー
７０４  数字／英字・記号切り替えキー
７０５  撮影キー
７０６  数字・英字・記号キー
７０７  Ｗｅｂサーバ開始キー
７０８  Ｗｅｂサーバ終了キー
【図１】
2005235012.tif 000003
【図２】
2005235012.tif 000004
【図３】
2005235012.tif 000005
【図４】
2005235012.tif 000006
【図５】
2005235012.tif 000007
【図６】
2005235012.tif 000008
【図７】
2005235012.tif 000009
【図８】
2005235012.tif 000010
【図９】
2005235012.tif 000011
【図１０】
2005235012.tif 000012
【図１１】
2005235012.tif 000013
【図１２】
2005235012.tif 000014
【図１３】
2005235012.tif 000015
【図１４】
2005235012.tif 000016
【図１５】
2005235012.tif 000017
【図１６】
2005235012.tif 000018
【図１７】
2005235012.tif 000019
【図１８】
2005235012.tif 000020
【図１９】
2005235012.tif 000021
【図２０】
2005235012.tif 000022
【図２１】
2005235012.tif 000023
【図２２】
2005235012.tif 000024
【図２３】
2005235012.tif 000025
【図２４】
2005235012.tif 000026
【図２５】
2005235012.tif 000027
【図２６】
2005235012.tif 000028
【図２７】
2005235012.tif 000029
【図２８】
2005235012.tif 000030